(57)【特許請求の範囲】
【請求項１】
歯を磨くための歯を衛生にする装置であって、
電動歯ブラシを備えており、該電動歯ブラシは、支持部材を有しており、前記支持部材は、その末端にブラシヘッドを有しており、前記電動歯ブラシは、また、前記ブラシヘッドを駆動するための手段を有しており、
前記装置は、さらに、
前記装置がオンになるのに応答して、経過時間のインターバルを連続的に表示するためのタイミング手段を備えており、前記経過時間のインターバルは、前記歯の領域の部分をブラシがけするための所望の時間に関係しており、
前記タイミング手段が、事前に確立され設定されたタイム・ピリオド内に前記経過時間のインターバルの連続表示を与えるよう作動可能となされており、前記事前に確立され設定されたタイム・ピリオドの間、前記歯ブラシが作動するようになされており、
前記歯ブラシがオンになった後で前記事前に確立され設定されたタイム・ピリオドの間において、前記歯ブラシがオフになった後の選択されたタイム・ピリオドの間、前記タイミング手段の状態を維持するための手段を備えていることを特徴とする、歯を磨くための歯を衛生にする装置。
【請求項２】
請求項１に記載の歯を磨くための歯を衛生にする装置において、
前記表示は、ａ）可聴信号及びｂ）毛の運動の検出可能な変化のうちの選択された１つであることを特徴とする、歯を磨くための歯を衛生にする装置。
【請求項３】
請求項１に記載の歯を磨くための歯を衛生にする装置において、
前記表示は、可聴信号と毛の運動の検出可能な変化との両方を備えていることを特徴とする、歯を磨くための歯を衛生にする装置。
【請求項４】
請求項１に記載の歯を磨くための歯を衛生にする装置において、
前記設定されたタイム・ピリオドは、概ね２分であり、前記経過時間のインターバルは、概ね３０秒であることを特徴とする、歯を磨くための歯を衛生にする装置。
【請求項５】
請求項１に記載の歯を磨くための歯を衛生にする装置において、
前記歯ブラシがオンになった後に、前記タイミング手段の状態を使用可能と使用不可能との間で変更させるための変更手段を備えていることを特徴とする、歯を磨くための歯を衛生にする装置。
【請求項６】
請求項５に記載の歯を磨くための歯を衛生にする装置において、
前記タイミング手段が、該タイミング手段が使用可能になっているということを示す第１の可聴信号を発するようになされており、
また、前記タイミング手段が、該タイミング手段が作動状態になっていないということを示す、前記第１の可聴信号と異なる第２の可聴信号を発するようになされていることを特徴とする、歯を磨くための歯を衛生にする装置。
【請求項７】
請求項５に記載の歯を磨くための歯を衛生にする装置において、
前記変更手段は、オン／オフ・スイッチが選択されたタイム・ピリオドの間に押されたことに応答することを特徴とする、歯を磨くための歯を衛生にする装置。
【請求項８】
請求項７に記載の歯を磨くための歯を衛生にする装置において、
前記選択されたタイム・ピリオドは、概ね２秒であることを特徴とする、歯を磨くための歯を衛生にする装置。
【発明の詳細な説明】
技術分野
この発明は、概ね、歯ブラシの技術に関し、特に、設定されたタイム・ピリオド（すなわち、時間帯）内の時間のうち選択されたインターバル（時間間隔）の経過を示すことができる電動歯ブラシに関する。
発明の背景
研究によれば、歯科の衛生状態はしばしば一様ではない、すなわち、歯のあるエリア（歯の領域）は、歯の他のエリアよりも、より衛生状態に注意を払うべきであるとされている。例えば、後部の（奥の）歯は、典型的には、あまり清潔にされていない。このことは、歯の衛生状態を良く保つように概ね実行している患者にとってさえも、真実であることがしぱしばである。人の口内の歯の衛生状態が一様とならない理由は、十分には知られていないが、種々の歯のエリアごとのそれぞれのブラシをかける時間が違うことが重要な要因となっているのではないかと考えられている。ブラシをかけるための所望の時間が全て経過したことを知らせる試みがなされている。ブラシをかけるための所望の全経過時間は、今日、概ね２分とみなされている。この経過時間は、例えば、米国特許Ｎｏ．４，７８８，７３４に示されているように、全経過時間の終わりに音を提供することによって示される。しかしながら、このようなアプローチでは、歯の衛生状態が一様でないという問題の解決には至らなかった。ゆえに、歯の全てのエリアにおける歯の衛生状態をより一様にするように（すなわち、歯の全てを均一に清潔にするように）、ユーザーを援助できるようにすることが希求されている。
発明の概要
本願発明の電動歯ブラシは、支持部材であって、その末端に設けられたブラシヘッドを有する支持部材と、前記ブラシヘッドを駆動するブラシヘッド駆動手段とを備えている。前記ブラシヘッド駆動手段は、さらに、タイミング手段を備えている。該タイミング手段は、当該装置の稼働に応答して、経過時間のインターバルを連続して示すことができるようになっている。経過時間のインターバルは、歯の領域の部分にブラシをかけるための所望時間に関係している。
【図面の簡単な説明】
図１は、本願発明の歯ブラシの斜視図である。
図２は、本願発明のハードウェアの実施例を示す回路線図である。
図３は、本願発明のソフトウェアの実施例を示すブロック線図である。
図４は、図３のソフトウェアの実施例のフローチャートである。
本願発明を実施するためのベストモード
図１は、本願発明を組み入れた電動歯ブラシの外観図を示している。かかる電動歯ブラシは、前後、左右、回転及び他の運動を含む種々のブラシがけ作用の任意の１つを行うように設計されている。歯ブラシ１０は、ハンドル１２と、細長いアーム１４と、細長いアーム１４の末端に設けられたブラシヘッド１６とを備えている。細長いアーム１４は、ハンドル１２に設けられた駆動アセンブリ（図示せず）によって、振動しあるいは作動する。図１に示され本願明細書に簡単に記述された歯ブラシは、電磁作用によって駆動されるようになっているが、電気機械や機械を含む他の手段を使用して、細長いアーム１４そしてブラシヘッド１６を駆動することができることを理解すべきである。というのは、本願発明の特徴は、電磁石の駆動装置に依存しているわけではないからである。
歯ブラシ１０は、ボタンスイッチ１８によって作動する。ボタンスイッチ１８は、オペレータによって押し下げられ且つ解除される。このように、ボタンスイッチ１８は、２つの作動位置を有している。使用されないとき、電動歯ブラシ１０は、ベースユニット２０に着座される。ベースユニット２０は、ハンドル１２に設けられた再充電可能なバッテリー用の充電ユニットである。したがって、歯ブラシをベースユニット２０から抜いて使用するとき、歯ブラシと（コードないし壁コンセントのような）外部電源との間に直接的な連結がない。
「磁気駆動装置を使用した振動歯ブラシ（Ｖｉｂｒａｔｉｎｇ  Ｔｏｏｔｈｂｒｕｓｈ  Ｕｓｉｎｇ  Ａ  Ｍａｇｎｅｔｉｃ  Ｄｒｉｖｅｒ」とタイトルを付けた米国特許第５，１８９，７５１は、電動歯ブラシを開示している。米国特許第５，１８９，７５１は、本願発明の譲受人と同じ譲受人に譲渡されている。米国特許第５，１８９，７５１に開示されている電動歯ブラシは、１５０−４００Ｈｚの範囲の周波数でブラシヘッドを駆動している。しかしながら、本願発明の本質は、特定のブラシヘッド周波数に限定されていないと理解すべきである。米国特許第５，１８９，７５１を参照することによって、当該米国特許第５，１８９，７５１の内容は、本願明細書に組み込まれている。
米国特許第５，１８９，７５１に示された振動歯ブラシにおいては、スイッチ１８を使用して、主クロックを使用可能する。次いで、主クロックからの信号は、所望の数に分けられ、その分けられた信号は、次いで、電磁回路に供給される。電磁回路は、次に、アームの末端に設けられたブラシヘッドを駆動する。本願発明の歯ブラシは、米国特許第５，１８９，７５１に述べられた歯ブラシと同様となっている。しかし、本願発明の歯ブラシは、特別の時間調整（タイミング）能力を備えている。それ故、ユーザーは、所定の設定時間内で、ブラシをかける時間に関して進度を調整、すなわちペースを保つことができる。具体的に説明すると、全体にわたる作動設定時間（例えば、２分）のうち特定の時間に信号を供給できるように、歯ブラシは設計されている。
上述したように、歯ブラシが、所望の全経過時間を示せることが周知となっている。米国特許第５，１８９，７５１に開示された歯ブラシの商業的な実施においては、例えば、１２０秒タイマーを使用して、ユーザーによるボタンスイッチ１８の開始から１２０秒後に、歯ブラシの作動は停止する。したがって、そのような歯ブラシは、ブラシかけのために適切と思われる全経過時間を確かに示すようになっている。
本願発明を案出し、上述した一様でない歯の状態の問題に取り掛かることを試みているとき、発明者は、口内の歯の全エリアを一様にするということにおいて、ブラシをかける技術とは関係なく、ブラシをかける時間だけが主要因であるということを決定した。すなわち、２分間という全設定時間内でペースを指摘することによって、ユーザーは、口内でのエリアごとにおける歯ブラシの使用を、進度を調整しながら、すなわちペースを保って行うことができ、また、歯の衛生状態をほぼ一様にできる。発明者は、さらに、次のことを決定した。すなわち、研究と評価によって、最も効率的なエリアに対する時間の分配は、４つの同一のタイム・インターバルを設けることである。すなわち、口内を４つの区画に分け、この４つの区画でブラシをかける時間を配分することである。これによって、ブラシをかけるペースの保持を確実に行え、また、ブラシをかけるときの進度の調整すなわちペースを保つのに役立ち、所望するようにブラシがけを一様に行うことができる。
図２は、所望の時間分割を成し遂げるように設計されたハードウェア回路の実施例を示している。上述したように、スイッチ２２は、２つの態様を有している。スイッチがユーザーによって押し下げられその押し下げられた位置に維持されたとき、スイッチ２２からの出力は、「ロー（低）」（ロジック０）となる。一方、スイッチが解除されたとき、出力は、「ハイ（高）」（ロジック１）となる。スイッチ２２からの出力が高くなったとき、２秒間のタイム・ピリオド（すなわち、２秒間の時間帯）を有するワンショットマルチバイブレータ（単安定マルチバイブレータ）２６が、インプット２７での信号によってクリアされる。しかしながら、スイッチが押されたとき、その結果として、ロー信号は、２つの影響を与える。まず、ワンショットマルチバイブレータ２６がリセットされ、（スイッチの押し下げが保持されていたならば）２秒間のカウントダウンを開始する。第２に、「トグル（ｔｏｇｇｌｅ）」フリップフロップ２８がその状態を変える（「オフ」から「オン」へ、または、その逆に、「オン」から「オフ」へ）。
このようにして、トグルフリップフロップ２８は、当該装置のオン／オフ状態を制御している。トグルフリップフロップ２８がオンに切り換えられたとき（すなわち、オンにトグルされたとき）、それによって、主クロック３０が、選択された周波数を有する出力信号を出力し始める。主クロック３０からの出力の周波数は、セラミック共振器３２のような安定した周波数源によって制御される。前記安定周波数源は、所望の安定した周波数を供給できる水晶または他の発振回路とすることができる。本願発明において、主クロック信号の周波数は、周波数分周器３４によって分けられ、これにより、５２２Ｈｚの周波数が供給される。５２２Ｈｚの信号は、次いで、ＡＮＤゲート５６のインプット３１と他の分周器３６に加えられる。分周器３６は、５２２Ｈｚの周波数を２６１Ｈｚの周波数まで減少させる。分周器３６の出力は、ＡＮＤゲート３８のインプット２９に加えられる。
トグルフリップフロップ２８からの出力は、また、１２０秒タイマー４０に加えられる。それによって、１２０秒タイマー４０は、直ちに、タイミング・ダウン（秒読み）を開始する。１２０秒のインターバルの終わりに、１２０秒タイマー４０から出力信号が出力され、トグルフリップフロップ２８のリセットピン２１に加えられる。それによって、トグルフリップフロップ２８は、オフの状態に切り換えられる。したがって、１２０秒タイマー４０は、歯ブラシの作動のための、全基本時間（設定時間インターバル）を供給している。
トグルフリップフロップ２８からの出力は、また、インプット（入力信号）として、ＡＮＤゲート３８（インプット３３）とＡＮＤゲート５６（インプット３５）に加えられる。したがって、トグルフリップフロップ２８が「偽（ｆａｌｓｅ）」や「ロー（低）」、すなわち「オフ」状態となることによって、分割されたクロック信号が、ＡＮＤゲートのどちらかを通してＯＲゲート６０に（そして、負荷に）加えられるのが防止される。逆に、トグルフリップフロップ２８が「真（ｔｒｕｅ）」すなわち「オン」になって１２０秒タイマー４０がカウントダウンを行っているとき、ハイ信号（ｈｉｇｈｔ  ｓｉｇｎａｌ）が、ＡＮＤゲート３８のインプット３３とＡＮＤゲート５６のインプット３５に加えられる。一方、５２２Ｈｚの信号がＡＮＤゲート５６のインプット３１に加えられ、２６１Ｈｚの信号がＡＮＤゲート３８のインプット２９に加えられる。
２秒間のタイム・ピリオドを有するワンショットマルチバイブレータ２６は、次のように、スイッチ２２に応答する。もし、スイッチ２２が２秒を越えて押し下げが保持されているならば、ワンショットマルチバイブレータ２６は、出力信号を生成し、該出力信号は、トグルフリップフロップ４６に加えられる。トグルフリップフロップ４６は、トグルフリップフロップ２８と同様になっており、その従前の状態を反転する。すなわち、「使用可能」から「使用不能」あるいは「使用不能」から「使用可能」に反転する。スイッチ２２が２秒間保持されたことによって、トグルフリップフロップ４６がカッドタイマー使用可能（ｑｕａｄ  ｔｉｍｅｒ  ｅｎａｂｌｅ）を示すと、スイッチ２２が次に２秒間連続的に保持されるまで、トグルフリップフロップ４６は、「使用可能」な状態のままとなる。トグルフリップフロップ４６からの出力は、１／４秒ワンショット５０のリセットピン４５と、ワンショット２４のトリガーインプットとに加えられる。ワンショット２４の出力は、ＯＲゲート４９に加えられる短い持続時間の（通常１ミリ秒よりも小さい）ハイ信号となっている。ＯＲゲート４９の出力は、３０秒タイマー４８をトリガーする。３０秒タイマー４８の３０秒は、理解できるように、ブラシがけのための、全体にわたる所望の設定時間（１２０秒）のちょうど４分の１となっている。３０秒タイマー４８が切れたとき、信号が１／４秒ワンショット回路５０に加えられる。１／４秒ワンショット５０のＱアウトプットは、入力側に戻して、インプットとしてＯＲゲート４９に加えられる。それによって、直前の３０秒のタイムピリオドが終了した後、１／４秒間、次ぎの３０秒タイムピリオドがトリガーされる（すなわち、引き起こされる）。これによって、それぞれの所望のタイムピリオドが提供される。
トグルフリップフロップ４６のアウトプットが、カッドタマー使用不可能を示しているとき、１／４秒ワンショット５０は、インプット４５での信号によってリセットされる。それによって、ＡＮＤゲート３８を介してＯＲゲート６０に加えられる２６１Ｈｚの信号の１／４秒の中断が妨げられる。
１／４秒ワンショット回路５０のアウトプットは、１／４秒の間以外、歯ブラシの作動の全時間の間、「真（ｔｒｕｅ）」すなわちハイとなっている。１／４秒の間は、アウトプットＱバーが「真」すなわちハイとなっており、そのとき、Ｑは真になっておらず、すなわちローになっている。アウトプットＱは、ＡＮＤゲート３８のインプット３７に加えられており、アウトプットＱバーは、ＡＮＤゲート５６のインプット３９に加えられている。したがって、アウトプットＱとＱバーは、事実上、ＡＮＤゲート３８、５６のどちらによって、当該ＡＮＤゲートの他の入カラインを通って、周波数カウンター３６、３４からのクロック信号がＯＲゲート６０に伝えられるのかを決定している。トグルフリップフロップ２８が「オン」でないならば、ＡＮＤゲートのどちらもアウトプットを出力しない。もし、トグルフリップフロップ２８が「オン」しているならば、アウトプットＱまたはアウトプットＱバーのどちらかが真となっていることに応じて、分周器３６からの２６１Ｈｚの信号または分周器３４からの５２２Ｈｚの信号が、ＯＲゲート６０に次いで負荷６２に伝えられる。このようにして、ペースを保つ、すなわち歩調を合わせる歯ブラシの典型的な作動において、負荷６２は、３０秒間、２６１Ｈｚの信号を受け、次いで、１／４間、５２２Ｈｚの信号を受ける。このシーケンスは、１２０秒タイマー４０がタイムアウトになるまで（すなわち、予め決められた時間が経過し終わるまで）、続けられる。
１／４秒のインターバルの間、２つの重要な効果が生じる。第１に、５２２Ｈｚの信号は十分に早いので、ブラシヘッドに「消失」効果を与える（その負荷はユーザーに接触している）。このことは、ユーザーによって直ちに識別される。また、５２２Ｈｚの信号を使用して、１／４秒の発信音が発生される。すなわち、ユーザーは、３０秒のタイム・インターバルが経過したことを聴覚的に且つ触覚的に気づく。所望の発信音を発生させるために、種々の方法を用いることができる。例えば、圧電気ブザー２３をＡＮＤゲート５６のアウトプットに連結でき、それによって、交流パルスが、１／４秒のインターバルの間、圧電気ブザー２３に加えられ、可聴発信音が発生される。代替例として、前記駆動装置の作動を中断させて、無音の「バースト」を生じるようにしてもよい。各３０秒インターバルは、口内における歯列の４つの区画（歯のエリア）ごとにユーザーがかけるべき時間を示している。すなわち、ユーザーは、例えば、左上区画から右上区画へ、次いで、右下区画から左下区画へ、歯の内側及び外側や歯の上面も含めて、連続的に進める。もちろん、他のシーケンスを用いることもできる。
このようにして、ユーザーは、ブラシがけのペースを保って、歯の衛生状態を一様に保つことができる情報を有している。他のインターバルの設定を使用できることを理解すべきである。しかし、４は、過度に複雑な構造（すなわち、８タイム・インターバル）と、大変簡単な構造（すなわち、２インターバル）との間の良好な妥協であることが実験に基づいて決定されている。前記大変簡単な構造では、歯の状態を一様にすることはできないと考えられる。
本願発明のソフトウェアの実施例が、図３及び４に示されている。この実施例は、マイクロプロセッサ・コントローラ６３、制御スイッチ６５、セラミック共振器６７、及びリセット回路６９を備えている。ソフトウェアの実施例は、負荷７１内で作動する。負荷７１は、２つの駆動トランジスターと、中心にタップの付いたコイルとを備えている。このタップ付きのコイルによって、電磁駆動システムにおいてブラシヘッドが運動する。制御スイッチ６５を使用して、当該装置の稼働と停止、すなわちオンとオフが行われる。一方、セラミック共振器６７を使用して、マイクロプロセッサ・コントローラ６３のクロック周波数が決定される。リセット回路６９は、当該ユニットが充電ベースに置かれたときに、マイクロプロセッサ・コントローラ６３のソフトウェアにリセット信号を発生する。
ソフトウェアの実施例の作動は、可能性のある歯ブラシの４つの作動状態を記述することによって最も良く理解されるであろう。第１の作動状態において、歯ブラシは、充電器ベースユニット２０に位置決めされている。これは、図４のブロック７０によって示されている。この状態において、ブロック７２に示されているように、リセット命令が起動されている。そして、ブロック７４で示されているように、ソフトウェアが初期化される。ブロック７４で、ソフトウェアは待機モードに入る。そのとき、ソフトウェアは、事実上、制御スイッチ６５がユーザーによって押されるのを待機している。
残りの３つの作動状態は、歯ブラシがベースユニット２０から外されたとき、起きる。これらの３つの状態において、ボタンスイッチ６５の状態（図１の１８）は、ブロック７７によって示されるように、ソフトウェアによって監視される。フローチャートによって周期的に繰り返されるその監視機能は、高い率で、おおよそ２ＭＨｚで行われる。制御スイッチ６５が押されたとき、ブロック７９で示されるように、当該ユニットの作動状態を示すソフトウェアのオン／オフ変数が切り換えられる（オフからオンヘ、または、その逆にオンからオンヘ）。したがって、歯ブラシがオフされ、次いで、スイッチが押されたとき、オン／オフ変数は、オンに切り換えられる。これは、第２の作動状態となっている。次いで、ブロック７８、８０、及び８４によって示されているように、制御スイッチ６５が２秒間保持されたかどうかの決定が行われる。もし、制御スイッチ６５が２秒間保持されたならば、次いで、ブロック１００で、カッドタイマー変数（ｑｕａｄｔｉｍｅｒ  ｖａｒｉａｂｌｅ）が切り換えられる。カッドタイマー変数が従前で使用可能な状態にあったならば、そのとき、カッドタイマーは、使用不可能な状態に変えられる。また、その逆に、もし、カッドタイマー変数が従前で使用不可能な状態にあったならば、そのとき、カッドタイマーは、使用可能ま状態に変えられる。カッドタイマー変数と後述するソフトウェア機能とによって、歯ブラシのペース機能が制御される。
カッドタイマー変数の新しい状態の決定は、ブロック１０２に示されているように、カッドタイマー変数が状態を変えた後、行われる。もし、スイッチ６５が２秒間押されカッドタイマー変数の状態が変わったならば、カッドタイマーが今使用可能な場合、２つの発信音が生じる（ブロック１０４）。一方、カッドタイマーが、今使用不可能となっているならば、１つの発信音が生じる（ブロック１０６）。負荷に加えられる駆動周波数を変えることによって、例えば、２６１Ｈｚから５２２Ｈｚに変えることによって、あるいは、駆動信号を中断させるような他の技術によって、あるいは、マイクロプロセッサ・コントローラ（マイクロ・コントローラ）６３に接続された圧電気ブザー６８を使用することによって、あるいは、その組み合わせによって、発信音を生じることができる。すなわち、２秒間スイッチを押した後のペース機能が使用可能となっているのか使用不可能となっているのかをユーザーは、知ることができる。カッドタイマー変数は、次にスイッチが２秒間押されるまで、その状態のままとなっている。
ソフトウェアによる各サイクルにおいて、ブロック８６によって示されているように、カッドタイマー変数の状態にかかわらず、オン／オフ変数の状態が決定される。「オン」状態（第２の作動状態）において、ブロック８８に示されているように、出力信号が開始され、負荷が駆動される。カッドタイマーが使用可能ならば、ブロック９１で示されているように、３０秒をデクリメントするタイミング機能が開始する。前記ユニットが稼働すなわちオンするとすぐに、１２０秒をデクリメントするタイミング機能が開始する（ブロック９２）。ブロック９４及び１０８で示されているように、１２０秒タイミングピリオド内で、３０秒をデクリメントするタイミング機能がゼロになったとき、ブロック１１０に示されているように発信音が生じ、そして、ブロック１１２で示されているように３０秒タイミング機能がリセットされる。この時間の間、出力信号が負荷に加えられる。
ブロック９４に示されているように、１２０秒タイミング機能がゼロになったと認められたとき、ソフトウェアは初期化され、待機モードに戻る（ブロック７４）。ブラシがけのための確立された設定ピリオドは、直ちに終了する。制御スイッチ６５が再び押されたとき、負荷を駆動する出力信号が再び開始する。そのとき、スイッチが２秒より長い間保持されていなければ、カッドタイマー変数は同じ状態となっている。
第３の作動状態は、ボタンスイッチ６５が最初にオンされた後、ボタンスイッチ６５が１２０秒よりも短い時間でユーザーによってオフされた場合である。ブロック８６は、直ちに、オン／オフの切り換え７９が「オフ」になったことを示す。それによって、いかなる出力信号も発生しない。オン／オフ変数（ブロック７９）がオフに切り換えられたとき、４５秒タイミング機能が、ブロック１１４で示されているように開始する。ブロック１１６に示されているように、これがゼロになったとき、ソフトウェアは初期化され、ブロック７４で待機モードに設定される。
第３の状態の変化である第４の状態は、歯ブラシがオフにされた後、４５秒以内に再びオンされた場合である。ソフトウェアはその時間内に初期化されないことから、ソフトウェア（すなわち、３０秒タイミング機能及び１２０秒タイミング機能）は、前記ユニットがオフになったときのそのソフトウェア（すなわち、３０秒タイミング機能及び１２０秒タイミング機能）の状態を拾い上げる。ブロック８６で、オン／オフ変数７９の状態が認定されると、１２０秒機能がゼロになるまで、出力駆動波形が再び開始する。すなわち、歯ブラシがオンになり、次いで、１２０秒内にオフになったとき、ソフトウェアは、その後４５秒の間、事実上「停止（ｈａｌｔ）」状態のままとなり、その後、ソフトウェアは初期化されリセットされる。
すなわち、全体にわたる設定タイマー内で一定の経過期間をユーザーに示すことができる振動歯ブラシが開示されている。前記一定の経過期間は、歯の領域の一部を磨くための最適の時間と関係している。
本願発明の好適な実施例が本願明細書に図示して開示されたが、後述する請求の範囲によって定義された発明の精神から離れない範囲で、種々の変更、改良、及び代用をそのような実施例に組み入れることができる。
【図１】
0003907697.tif 000002
【図２】
0003907697.tif 000003
【図３】
0003907697.tif 000004
【図４】
0003907697.tif 000005